(57)【要約】【課題】プラスチック管との接続が熱融着によって行われ、高い内圧を負荷したときでも変形したり、ガス洩れを生ずることのないガス管用のサドル継手を提供する。【解決手段】サドル部４と、該サドル部４より立上がり、図示しない分岐管が接続される円筒部５からなり、該円筒部５の肉厚の基部５ａには、該基部５ａを補強する円環状の鋼製インサート６が埋設される。【選択図】図１
2006307968.tif 000002
【特許請求の範囲】
【請求項１】
プラスチック管による上下水道やガスの配管工事において、分岐管を接続するために用いるプラスチック製の分岐継手であって、該継手のうち、少なくとも高い内圧を負荷したとき変形し易い箇所に該箇所を補強する金属インサートを埋設したことを特徴とする分岐継手。
【請求項２】
分岐継手がサドル部と、該サドル部から立上り、分岐管が接続される円筒部又は分岐管が接続されるスピゴットを備えた胴部を有するサドル継手又はサービスチー継手であり、金属インサートが円環状ないし円筒状で、上記円筒部又は胴部に埋設される請求項１記載の分岐継手。
【請求項３】
分岐継手がサドル部と、該サドル部から立上り、分岐管が接続される円筒部又は分岐管が接続されるスピゴットを備えた胴部を有するサドル継手又はサービスチー継手であり、金属インサートがサドル形で、上記サドル部に埋設される請求項１記載の分岐継手。
【請求項４】
分岐継手がチーズ継手であり、金属インサートが円環状ないし円筒状で、分岐管が接続される円筒部に埋設される請求項１記載の分岐継手。
【発明の詳細な説明】
【技術分野】
【０００１】
本発明は、プラスチック管による上下水道やガスの配管工事において、分岐管を接続するために用いるプラスチック製の分岐継手に関する。
【背景技術】
【０００２】
この種の分岐継手には、サドル継手、サービスチー継手、チーズ継手等があり、プラスチック管との融着方式にもプラスチック管との接合面をヒータにより加熱溶融してプラスチック管に融着する熱融着ＨＦ（以下、ＨＦという）するタイプのものと、プラスチック管との接合面に埋設した電熱線に通電することによりプラスチック管との接合面を加熱溶融してプラスチック管との融着を行う電気融着ＥＦ（以下、ＥＦという）するタイプのものとが知られ、ＥＦ継手は通電により融着が容易かつ確実に行えることから、近年とくにガスの配管工事において多用されるようになっている。
【発明の開示】
【発明が解決しようとする課題】
【０００３】
上述する分岐継手は形状が複雑であることから、継手に内圧を負荷したときには局部的に集中応力が発生する。特に、長期性能を確認するために行われる耐圧試験等の高圧負荷時には、プラスチック管との融着部が局部的に剥離して、ガス等の洩れを生ずることがあった。この問題を解消するため、サドル系の継手では融着後も固定に使用したクランプ金具を用いて継手をプラスチック管にクランプしたままにしておくことも考えられるが、分岐継手の施工ごとにクランプ金具を取付けたままにしておくのは施工コストを上昇させる。また、金属クランプが腐食することで、当初の強度を保てなくなる恐れがある。
【０００４】
本発明は、耐圧試験等の高い内圧を負荷したときでも継手が変形したり、ガス等の洩れを生ずることがない分岐継手を提供することを目的とする。
【課題を解決するための手段】
【０００５】
本発明は、プラスチック管による上下水道やガスの配管工事において、分岐管を接続するために用いるプラスチック製の分岐継手であって、該継手のうち、少なくとも高い内圧を負荷したとき変形し易い箇所に該箇所を補強する金属インサートを埋設したことを特徴とする。
本発明における分岐継手は、ＨＦ継手であってもよいし、ＥＦ継手であってもよい。
【０００６】
本発明において、高い内圧を負荷したとき、変形し易い箇所は、分岐継手が例えばサドル継手である場合、分岐管が接続される円筒部やサドル部、サービスチー継手である場合、サドル部やサドル部から立上がる円筒状の胴部、チーズ継手である場合、分岐管が接続される円筒部であり、円筒部には円環状ないし円筒状の金属インサートが、サドル部にはサドル形の金属インサートが埋設され、またサドル部と円筒部又は胴部を有する継手に対しては、サドル部とサドル部より立上がる円筒部よりなる金属インサートを埋設してもよい。
【発明の効果】
【０００７】
本発明の分岐継手によると、高い内圧を負荷するようなことがあっても、埋設された金属インサートが芯となってインサートを埋設する箇所を補強かつ保形することにより、変形することが防止され、また集中応力の発生が抑制され、融着部が部分的に剥離してガス等の洩れを生ずるのを防ぐことができる。
【発明を実施するための最良の形態】
【０００８】
以下、本発明の実施形態の分岐継手に関して図面により説明する。
図１は、プラスチック管との接合面２に電熱線（図示しない）を埋設し、プラスチック管との接続が電熱線への通電によって行われるプラスチック製の電気融着サドル継手３を示すもので、該継手３は内側に上記接合面２を備えたサドル部４と、該サドル部４より立上がり、図示しない分岐管が接続される円筒部５からなり、該円筒部５の肉厚の基部５ａには、該基部５ａを補強する円環状の鋼製インサート６が埋設されている。図中、１は図示しない電気融着装置（コントローラ）のコネクターが差込まれるターミナルである。
【０００９】
図２に示すサドル継手７は、インサート６に代えて上述するサドル継手３のサドル部４にサドル形の鋼製インサート８を埋設してなるものである。
【００１０】
図３に示すサドル継手１１は、サドル部４と円筒部５の基部とにサドル部と該サドル部より立上がる円筒部よりなる鋼製インサート１２を埋設してなるものである。
【００１１】
図４に示すサドル継手７は、円筒部５の基部に円筒部よりなる鋼製インサート８を埋設してなるものであり、鋼製インサートが埋設された円筒部の基部は肉厚も厚くしている。
【００１２】
以上はサドル継手について示すものであるが、サービスチー継手についても同様に構成される。すなわちサービスチー継手は、サドル部と、サドル部より立上がる胴部と、胴部より側方に延び、分岐管が接続されるスピゴットよりなるが、上述するインサート６、８或いは１２がサドル部及び若しくは胴部に同様にして埋設される。
【００１３】
図５は、プラスチック管が差込まれて接続される円筒部１４を三か所有し、そのうちの一つが分岐管を接続するための円筒部となっているチーズ継手１５を示すもので、分岐管を接続する円筒部１４の基部には、円環状の鋼製インサート６が埋設されている。
【産業上の利用可能性】
【００１４】
本発明の分岐継手は、プラスチック管による上下水道やガスの配管工事において、分岐管を接続するために用いられる。
【図面の簡単な説明】
【００１５】
【図１】本発明に係わるサドル継手の断面図。
【図２】本発明に係わるサドル継手の別の態様の断面図。
【図３】本発明に係わるサドル継手の更に別の態様の断面図。
【図４】本発明に係わるサドル継手の更に別の態様の断面図。
【図５】チーズ継手の断面図。
【符号の説明】
【００１６】
１・・ターミナル
２・・接合面
３、７、１１・・電気融着サドル継手
４・・サドル部
５・・円筒部
６、８、１２・・鋼製インサート
１４・・円筒部
１５・・チーズ継手
【図１】
2006307968.tif 000003
【図２】
2006307968.tif 000004
【図３】
2006307968.tif 000005
【図４】
2006307968.tif 000006
【図５】
2006307968.tif 000007